(57)【特許請求の範囲】
【請求項１】
払い出し商品をストックする複数のストッカと各ストッカに投入されている商品の商品コードとを対応付けてメモリに登録するに際し、制御部により各ストッカに払い出しの実施を順次に指示し、制御部は、読取装置からの商品の読取情報が入力されると、払い出された商品の特定個所が読取装置で読み取られたものとして商品コードを特定し、制御部が、特定した商品コードを、直前に払い出しを実施したストッカに対応するメモリの商品コードエリアに登録する自動販売機における運転準備方法。
【請求項２】
払い出し商品をストックする複数のストッカと各ストッカに投入されている商品の商品コードとを対応付けてメモリに登録するに際し、制御部により複数のストッカのうちの一つの第１のストッカに払い出し実施を指示し、制御部は、読取装置からの商品の読取情報が入力されると、払い出された商品の特定個所が読取装置で読み取られたものとして商品コードを特定し、制御部が、特定した商品コードを、第１のストッカに対応するメモリの商品コードエリアに登録し、制御部は、複数のストッカのうちの第１のストッカを除く残りのストッカのうちの一つの第２のストッカに払い出しの実施を指示し、制御部は、読取装置からの商品の読取情報が入力されると、払い出された商品の特定個所が読取装置で読み取られたものとして商品コードを特定し、制御部が、特定した商品コードを、第２のストッカに対応するメモリの商品コードエリアに登録し、制御部は、上記動作を全てのストッカについて実施するまで繰り返して商品コードの登録を実施する自動販売機における運転準備方法。
【請求項３】
制御部は、読取装置からの商品の読取情報が入力されると、払い出された商品の特定個所が読取装置で読み取られたものとして商品コードを特定し、これとともに、商品選択ボタンが操作されたことを制御部が検知すると、払い出しを実施したストッカに対応するメモリの商品コードエリアと前記商品選択ボタンに対応するメモリの商品選択ボタンエリアに、それぞれ特定した商品コードと商品選択ボタンコードを登録する請求項１または２に記載の自動販売機における運転準備方法。
【請求項４】
商品の特定個所を読み取って商品コードを特定する読取装置と、
各ストッカに対応する商品コードを記憶するメモリと、
商品コードの設定が指示されたことを検出して前記メモリの更新を実行する運転準備処理部とを設け、
運転準備処理部は、商品コードの設定が指示されたことを検出して、複数のストッカのうちの一つの第１のストッカに払い出しの実施を指示し、読取装置から入力されたコード情報を、前記メモリの第１のストッカに対応する商品コードエリアに登録するとともに、複数のストッカのうちの第１のストッカを除く残りのストッカのうちの一つの第２のストッカに払い出しの実施を指示し、払い出し実施の指示とメモリへのコードの登録動作とを、全てのストッカについて実施するまで繰り返すように構成した自動販売機における運転準備装置。
【請求項５】
商品の特定個所を読み取って商品コードを特定する読取装置と、
各ストッカに対応する商品コードを記憶するメモリと、
商品コードの設定が指示されたことを検出して前記メモリの更新を実行する運転準備処理部とを設け、
運転準備処理部は、商品コードの設定が指示されたことを検出して、複数のストッカのうちの一つの第１のストッカに払い出しの実施を指示し、読取装置から入力されたコード情報を、前記メモリの第１のストッカに対応する商品コードエリアに登録し、操作された商品選択ボタンの商品選択ボタンコードを前記メモリの第１のストッカに対応する商品選択ボタンコードエリアに登録し、第１のストッカに対応する商品コードエリアと商品選択ボタンコードエリアへのコードの書き込みの完了を検出して、複数のストッカのうちの第１のストッカを除く残りのストッカのうちの一つの第２のストッカに払い出しの実施を指示し、払い出し実施の指示とメモリへのコードの登録動作とを、全てのストッカについて実施するまで繰り返すように構成した自動販売機における運転準備装置。
【発明の詳細な説明】
【０００１】
【発明の属する技術分野】
本発明は自動販売機における運転準備方法に関する。
【０００２】
【従来の技術】
自動販売機は図５に示すように構成されている。
販売商品は銘柄ごとにストッカ１1 ，１2 ，……，１N に収納されている。接客面に設けられている商品選択ボタン２1 ，２2 ，……  のうちの購入を希望する商品に応じた商品選択ボタンを操作すると、制御部３の通常処理部３ａはメモリ４のテーブルに照合してストッカ１1 ，１2 ，……，１N のうちの操作を検出した商品選択ボタンに応じたストッカに商品５の払い出しを指示する。
【０００３】
運転準備に際してメモリ４に登録する内容は、制御部３の運転準備処理部３ｂで次のように管理されている。
オペレータは、ストッカ番号“００１”のストッカ１に投入されている商品またはそこにストックされようとしている商品を目視で観察し、商品の銘柄を特定する。次に、ストッカ番号“００１”と特定した商品５の商品コード、ならびに接客面に設けられている商品選択ボタン２1 ，２2 ，……  のうちの特定した商品５の銘柄に応じた商品選択ボタンの商品選択ボタンコードを、所定の順序でキーボード６にキーインし、さらにキーボード６の登録キーを手動操作する。
【０００４】
これによって運転準備処理部３ｂは、メモリ４のテーブルのストッカー番号“００１”に対応する商品コードエリア４ａにキーインした商品コードが書き込まれ、商品選択ボタンコードエリア４ｂにキーインした商品選択ボタンコードが書き込まれる。
【０００５】
なお、メモリ４に登録された商品選択ボタンコードの内容は、交互販売などに利用される。具体的には、特定の商品選択ボタンが商品選択ボタンコードエリアの複数の個所に登録されている場合、特定の商品選択ボタンが繰り返し操作された場合に同じストッカから繰り返し払い出すのではなくて、同じ商品選択ボタンコードが登録されている別のストッカから払い出すように払い出し指示の送り先を入れ換える。
【０００６】
【発明が解決しようとする課題】
このように従来の運転準備方法は、キーボード６をオペレータが手動操作してキーインしているため、誤った登録をする可能性が残されている。
【０００７】
さらに、ストッカ番号と商品コードを対でキーインして登録する必要があって、作業性も悪いと云う問題がある。
本発明は操作性が良好な運転準備方法と、その実施に使用する運転準備装置を提供することを目的とする。
【０００８】
【課題を解決するための手段】
請求項１記載の運転準備方法は、払い出し商品をストックする複数のストッカと各ストッカに投入されている商品の商品コードとを対応付けてメモリに登録するに際し、制御部により各ストッカに払い出しの実施を順次に指示し、制御部は、読取装置からの商品の読取情報が入力されると、払い出された商品の特定個所が読取装置で読み取られたものとして商品コードを特定し、制御部が、特定した商品コードを、直前に払い出しを実施したストッカに対応するメモリの商品コードエリアに登録することを特徴とする。
【０００９】
請求項２記載の運転準備方法は、払い出し商品をストックする複数のストッカと各ストッカに投入されている商品の商品コードとを対応付けてメモリに登録するに際し、制御部により複数のストッカのうちの一つの第１のストッカに払い出し実施を指示し、制御部は、読取装置からの商品の読取情報が入力されると、払い出された商品の特定個所が読取装置で読み取られたものとして商品コードを特定し、制御部が、特定した商品コードを、第１のストッカに対応するメモリの商品コードエリアに登録し、制御部は、複数のストッカのうちの第１のストッカを除く残りのストッカのうちの一つの第２のストッカに払い出しの実施を指示し、制御部は、読取装置からの商品の読取情報が入力されると、払い出された商品の特定個所が読取装置で読み取られたものとして商品コードを特定し、制御部が、特定した商品コードを、第２のストッカに対応するメモリの商品コードエリアに登録し、制御部は、上記動作を全てのストッカについて実施するまで繰り返して商品コードの登録を実施することを特徴とする。
【００１０】
請求項３記載の運転準備方法は、請求項１または請求項２において、制御部は、読取装置からの商品の読取情報が入力されると、払い出された商品の特定個所が読取装置で読み取られたものとして商品コードを特定し、これとともに、商品選択ボタンが操作されたことを制御部が検知すると、払い出しを実施したストッカに対応するメモリの商品コードエリアと前記商品選択ボタンに対応するメモリの商品選択ボタンエリアに、それぞれ特定した商品コードと商品選択ボタンコードを登録することを特徴とする。
【００１１】
請求項４記載の運転準備装置は、商品の特定個所を読み取って商品コードを特定する読取装置と、各ストッカに対応する商品コードを記憶するメモリと、商品コードの設定が指示されたことを検出して前記メモリの更新を実行する運転準備処理部とを設け、運転準備処理部は、商品コードの設定が指示されたことを検出して、複数のストッカのうちの一つの第１のストッカに払い出しの実施を指示し、読取装置から入力されたコード情報を、前記メモリの第１のストッカに対応する商品コードエリアに登録するとともに、複数のストッカのうちの第１のストッカを除く残りのストッカのうちの一つの第２のストッカに払い出しの実施を指示し、払い出し実施の指示とメモリへのコードの登録動作とを、全てのストッカについて実施するまで繰り返すように構成したことを特徴とする。
【００１２】
請求項５記載の運転準備装置は、商品の特定個所を読み取って商品コードを特定する読取装置と、各ストッカに対応する商品コードを記憶するメモリと、商品コードの設定が指示されたことを検出して前記メモリの更新を実行する運転準備処理部とを設け、運転準備処理部は、商品コードの設定が指示されたことを検出して、複数のストッカのうちの一つの第１のストッカに払い出しの実施を指示し、読取装置から入力されたコード情報を、前記メモリの第１のストッカに対応する商品コードエリアに登録し、操作された商品選択ボタンの商品選択ボタンコードを前記メモリの第１のストッカに対応する商品選択ボタンコードエリアに登録し、第１のストッカに対応する商品コードエリアと商品選択ボタンコードエリアへのコードの書き込みの完了を検出して、複数のストッカのうちの第１のストッカを除く残りのストッカのうちの一つの第２のストッカに払い出しの実施を指示し、払い出し実施の指示とメモリへのコードの登録動作とを、全てのストッカについて実施するまで繰り返すように構成したことを特徴とする。
【００１３】
【発明の実施の形態】
以下、本発明の運転準備方法を具体的な実施の形態に基づいて説明する。
なお、従来例を示す図３と同様の作用をなすものには同一の符号を付けて説明する。
【００１４】
〔第１の実施の形態〕
図１と図２は〔第１の実施の形態〕を示し、読取装置としてのバーコードリーダ７を設けると共に、制御部３の運転準備処理部３ｂが変更されている。
【００１５】
オペレータがキーボード６から商品コードの設定を指示すると、運転準備処理部３ｂは図２の＃１で商品コードの設定指示を検出して、＃２の通常処理ルーチンを実行せずに以下の商品コード処理ルーチンを実行する。
【００１６】
＃３では特定のレジスタｎの内容を“１”にセットし、＃４では特定のレジスタｎの内容に基づいてストッカ番号“００１”の第１番目のストッカ１1 に制御部３が商品５の払い出しを指示する。
【００１７】
オペレータは第１番目のストッカ１1 から払い出された商品５の表面に付されているバーコードをバーコードリーダ７でスキャンして読み取る操作を実施する。バーコードリーダ７はこのスキャン操作で商品５の銘柄に応じた商品コードを制御部３に出力する。
【００１８】
制御部３は＃５で商品コードの読み取りが完了したかどうかをチェックし、商品コードの読み取りの完了を検出すると、＃６ではメモリ４のストッカ番号エリアのうちのレジスタｎの内容で指定される“１”に対応する商品コードエリア４ａに、＃５で認識した商品コードを登録する。
【００１９】
＃７ではストッカ１1 〜１N の全てについて商品コードエリアの登録が完了したかどうかを判定する。この説明では、ストッカ番号エリアのうちの第１番目のストッカ１1 だけに対して商品コードを登録した状態であるため、＃８でレジスタｎの内容を“＋１”して＃４に戻る。
【００２０】
続いて＃４では、レジスタｎの内容に基づいてストッカ番号“００２”の第２番目のストッカ１2 に制御部３が商品５の払い出しを指示する。
オペレータは第２番目のストッカ１2 から払い出された商品５の表面に付されているバーコードをバーコードリーダ７でスキャンして読み取る操作を実施する。
【００２１】
＃６ではメモリ４のストッカ番号エリアのうちのレジスタｎの内容で指定される“２”に対応する商品コードエリア４ｃに、＃５で認識した商品コードを登録する。
【００２２】
以下、同様に＃４〜＃８を繰り返し実行してメモリ４の全ての商品コードエリアに商品コードを登録する。なお、この〔第１の実施の形態〕では商品選択ボタン２1 ，２2 ，…とストッカ１1 〜１N の対応については、運転準備処理部３ｂは、ストッカ番号と商品選択ボタンコードをキーボードからキーインして従来と同じように登録される。
【００２３】
このように、オペレータは＃１での商品コード設定モードへの切り換え指示と＃５でのバーコードリーダ７によるＮ回のバーコードの読み取り操作だけで商品コードの登録を完了できる。
【００２４】
したがって、キーボード６から商品コードをキーインして登録していた従来に比べて誤った商品コード設定が無くなる。さらに、商品コードの設定に際してはオペレータがストッカ番号を意識せずに、払い出されてくる商品のバーコードをバーコードリーダ７でその都度にスキャンするだけで済み、操作性が一段と向上する。
【００２５】
〔第２の実施の形態〕
〔第１の実施の形態〕では、商品選択ボタンコードをキーボードからキーインして登録したが、この〔第２の実施の形態〕では商品選択ボタンコードの登録についてもストッカ番号を気にせずに登録できる。
【００２６】
図３と図４は〔第２の実施の形態〕を示す。
＃１〜＃５は〔第１の実施の形態〕と同じで、〔第１の実施の形態〕では＃５が完了すると制御部３が直ちに＃６を実行したが、〔第２の実施の形態〕では＃５が完了すると、＃５ａを介して＃６が実行される。
【００２７】
＃５ａでは、商品選択ボタン２1 ，２2 ，…  のうちの何れかが操作されたかどうかを判定しており、オペレータは＃５で商品コードの読み取りを実施した商品５の銘柄に応じた商品選択ボタンを操作する。
【００２８】
バーコードリーダ７によるスキャンと商品選択ボタンの操作が完了すると、＃６では、メモリ４のストッカ番号エリアのうちのレジスタｎの内容に対応する商品コードエリアと商品選択ボタンコードエリアには、ｎ＝１の場合には商品コードエリア４ａに＃５で認識した商品コードを登録し、商品選択ボタンコードエリア４ｂには＃５ａで認識したボタンコードが登録される。
【００２９】
このように、商品コードの設定と同じようにオペレータがストッカ番号を意識せずに商品選択ボタンコードの登録を完了することができ、操作性が一段と向上する。
【００３０】
上記の〔第１の実施の形態〕では＃５が完了しなければ、＃６〜＃８を介して＃４を実行せず、〔第２の実施の形態〕では＃５と＃５ａが完了しなければ、＃６〜＃８を介して＃４を実行しなかったが、＃５、または＃５と＃５ａを実施しない場合には、その回の＃６を実行せずに＃７と＃８を介して＃４を順次実施するようにも構成できる。
【００３１】
【発明の効果】
請求項１記載の運転準備方法は、制御部により、各ストッカに払い出しの実施を順次に指示し、制御部は、読取装置からの商品の読取情報が入力されると、払い出された商品の特定個所が読取装置で読み取られたものとして商品コードを特定し、制御部が、特定した商品コードを、直前に払い出しを実施したストッカに対応するメモリの商品コードエリアに登録するので、オペレータがストッカ番号を気にせずに、しかも払い出された商品を読取装置で読み取るだけで登録できる。
【００３２】
請求項２記載の運転準備方法は、制御部により複数のストッカのうちの一つの第１のストッカに払い出し実施を指示し、制御部は、読取装置からの商品の読取情報が入力されると、払い出された商品の特定個所が読取装置で読み取られたものとして商品コードを特定し、制御部が、特定した商品コードを、第１のストッカに対応するメモリの商品コードエリアに登録し、制御部は、複数のストッカのうちの第１のストッカを除く残りのストッカのうちの一つの第２のストッカに払い出しの実施を指示し、制御部は、読取装置からの商品の読取情報が入力されると、払い出された商品の特定個所が読取装置で読み取られたものとして商品コードを特定し、制御部が、特定した商品コードを、第２のストッカに対応するメモリの商品コードエリアに登録し、制御部は、上記動作を全てのストッカについて実施するまで繰り返して商品コードの登録を実施するため、オペレータがストッカ番号を気にせずに、しかも払い出された商品を読取装置で読み取るだけで登録できるとともに、オペレータの読み取り操作に合わせて登録を進めることができる。
【００３３】
請求項３記載の運転準備方法は、請求項１または請求項２において、制御部は、読取装置からの商品の読取情報が入力されると、払い出された商品の特定個所が読取装置で読み取られたものとして商品コードを特定し、これとともに、商品選択ボタンが操作されたことを制御部が検知すると、払い出しを実施したストッカに対応するメモリの商品コードエリアと前記商品選択ボタンに対応するメモリの商品選択ボタンエリアに、それぞれ特定した商品コードと商品選択ボタンコードを登録するので、オペレータがストッカ番号を気にせずに商品コードと商品選択ボタンコードを登録できる。
【００３４】
請求項４記載の運転準備装置は、商品の特定個所を読み取って商品コードを特定する読取装置と、各ストッカに対応する商品コードを記憶するメモリと、商品コードの設定が指示されたことを検出して前記メモリの更新を実行する運転準備処理部とを設け、運転準備処理部は、商品コードの設定が指示されたことを検出して、複数のストッカのうちの一つの第１のストッカに払い出しの実施を指示し、読取装置から入力されたコード情報を、前記メモリの第１のストッカに対応する商品コードエリアに登録するとともに、複数のストッカのうちの第１のストッカを除く残りのストッカのうちの一つの第２のストッカに払い出しの実施を指示し、払い出し実施の指示とメモリへのコードの登録動作とを、全てのストッカについて実施するまで繰り返すように構成したため、請求項２記載の運転準備方法を実現できる。
【００３５】
請求項５記載の運転準備装置は、商品の特定個所を読み取って商品コードを特定する読取装置と、各ストッカに対応する商品コードを記憶するメモリと、商品コードの設定が指示されたことを検出して前記メモリの更新を実行する運転準備処理部とを設け、運転準備処理部は、商品コードの設定が指示されたことを検出して、複数のストッカのうちの一つの第１のストッカに払い出しの実施を指示し、読取装置から入力されたコード情報を、前記メモリの第１のストッカに対応する商品コードエリアに登録し、操作された商品選択ボタンの商品選択ボタンコードを前記メモリの第１のストッカに対応する商品選択ボタンコードエリアに登録し、第１のストッカに対応する商品コードエリアと商品選択ボタンコードエリアへのコードの書き込みの完了を検出して、複数のストッカのうちの第１のストッカを除く残りのストッカのうちの一つの第２のストッカに払い出しの実施を指示し、払い出し実施の指示とメモリへのコードの登録動作とを、全てのストッカについて実施するまで繰り返すように構成したため、請求項３記載の運転準備方法を実現できる。
【図面の簡単な説明】
【図１】〔第１の実施の形態〕の運転準備方法を採用した自動販売機の構成図である。
【図２】同実施の形態の運転準備処理部のフローチャート図である。
【図３】〔第２の実施の形態〕の運転準備方法を採用した自動販売機の構成図である。
【図４】同実施の形態の運転準備処理部のフローチャート図である。
【図５】従来の自動販売機の構成図である。
【符号の説明】
１1 ，１2 ，…，１N       ストッカ
２1 ，２2 ，…            商品選択ボタン
３        制御部
３ｂ      運転準備処理部
４        メモリ
７        バーコードリーダ
【図１】
0003669748.tif 000002
【図２】
0003669748.tif 000003
【図３】
0003669748.tif 000004
【図４】
0003669748.tif 000005
【図５】
0003669748.tif 000006